(57)【要約】【課題】  無風あるいは微風の時は、日除けシートの形状をそのまま保持し、ある程度以上の風を受けると、シートが風を逃がすようにする。【解決手段】  日除けシート２０を支持するように、シートの対角線方向に沿って取り付けられ、両端が建物のアンカー部１４，１５に定着された支持ステー３０と、支持ステー３０の端部から延在する辺の延長上に位置する日除けシート２０の隅角可動頂点と、建物に固定された滑車２４，２５を介して、ショックコード４３がその一部に介装され、隅角可動頂点に端部が固定された伸縮ステー４０とを備える。日除けシート２０に風圧が作用した際に、日除けシート２０の隅角可動頂点が伸縮ステー４０の伸長により風圧と釣り合うように移動して風を逃がすことができる。【選択図】  図１
2015004224.tif 000002
【特許請求の範囲】
【請求項１】
日除けシート内に設けられた、該日除けシートを支持する線状支持手段と、
該線状支持手段の端部から延在する前記日除けシートの辺の延長上の隅角部位である可動頂点と、
方向転換手段を介して弾性線材がその一部に介装され、前記可動頂点に端部が固定された弾性支持線材と
を備え、
前記日除けシートに風圧が作用した際に、前記日除けシートの可動頂点が前記弾性支持線材の伸長により前記風圧と釣り合うように移動するようにしたことを特徴とする日除け装置。
【請求項２】
前記線状支持手段は、前記日除けシートの対角線方向に沿って前記日除けシートに取り付けられ、両端が前記建物固定部に定着された支持ステーである、請求項１に記載の日除け装置。
【請求項３】
前記可動頂点は、前記日除けシートに設けられた前記線状支持手段が沿う対角線と交わる対角線端部の隅角部位である、請求項１に記載の日除け装置。
【請求項４】
前記弾性線材は、前記弾性支持線材内の中間位置に直列接続されたショックコードである、請求項１に記載の日除け装置。
【請求項５】
日除けシート内に設けられた、該日除けシートを支持する線状支持手段と、
該線状支持手段の端部から延在する前記日除けシートの２辺の隅角部位である可動頂点と、
建物固定部に設けられた方向転換手段を介して線材に所定の張力を付与する重錘が端部に吊持され、前記可動頂点に端部が固定された支持線材と
を備え、
前記日除けシートに風圧が作用した際に、前記日除けシートの可動頂点が前記支持線材下端の重錘の昇降により前記風圧と釣り合うように移動するようにしたことを特徴とする日除け装置。
【請求項６】
前記線状支持手段位置に芯材を配置し、該芯材に前記日除けシートを巻き付ける巻取装置を備えた、請求項１乃至請求項５のいずれか１項に記載の日除け装置。
【請求項７】
前記日除けシートは、フレキシブルソーラーフィルムを備えたシートである、請求項１乃至請求項６のいずれか１項に記載の日除け装置。
【発明の詳細な説明】
【技術分野】
【０００１】
本発明は日除け装置に係り、簡単な構造からなり、日除けシートが風を受けた際に、シート端部が動いてシートに当たる風をしなやかに逃がすことができるようにした日除け装置に関する。
【背景技術】
【０００２】
従来、住宅の南向きベランダの窓等から室内に差し込む太陽光を遮光するために、各種の日除け装置が提案され、また実用化されている。たとえば特許文献１に開示された日除け装置は、下端をベランダの手摺等に固定して、上端を建物の窓枠の周囲の外壁に固定するようになっている。図１に示したように、長方形状のシート１下端は一実施形態として、手摺に支持されている。他方、上端の３箇所にはそれぞれ操作紐５の端部が取り付けられ、それぞれの操作紐５は壁面に取り付けられた滑車を介して最終的に３本が壁面に沿って束ねられるようにして下方に導かれ、操作紐固定具７に定着される。したがって、シート１の上端は３本の操作紐５を操作することで張設したり、緩めたりされる。
【０００３】
この日除け装置は、張設時にシート上辺を容易に張ることができるという利点があるが、シートを張設した後は、風が吹いた時は張設した状態で作用する風圧に耐える構造になっている。このため、風に煽られた際に各支持部に過大な力が作用する。操作紐を緩めることも可能であるが、その場合にはシートのバタツキを防ぐことができない。
【０００４】
風にあおられてシートに大きな風圧がかかるのを防止してシートの安定性を確保した日除けシートも提案されている（特許文献２）。この特許文献２に示された日除けシートはストレッチ素材からなるシートの端部にバネ材を有する支持部が設けられ、この支持部でシートに所定のテンションを付与して張設することで、日除け面を構成するとともに、付与されたテンションによりシート間に風を逃がすスリットが形成され、シートが風に煽られるのを防止できる。
【先行技術文献】
【特許文献】
【０００５】
【特許文献１】実用新案登録第３１１１２０２号公報
【特許文献２】特開２００６−２３７９号公報
【発明の概要】
【発明が解決しようとする課題】
【０００６】
特許文献２に示した日除けシートでは、日除けシート自体は所定のテンションを付与した状態で縁部が支柱上端等に固定され、スリットは複数枚のシートを並べて張設した間に形成される。このため、日除けシートが風を受けて煽られた際にシートがばたつくことなく、スリットから風を逃がすことができる。しかし、日除けシート自体は風圧をそのまま受けるため、各シート及び縁部のハトメ固定部および掛止金具等は受ける風圧に耐えるだけの強度の部材が必要となる。そこで、本発明の目的は上述した従来の技術が有する問題点を解消し、無風あるいは微風の時は、日除けシートの形状をそのまま保持し、ある程度以上の風を受けると、日除けシートの隅角端部が風に倣ってなびくように動き、日除けシートに作用した風を逃がすことができるようにした日除け装置を提供することにある。
【課題を解決するための手段】
【０００７】
上記目的を達成するために、本発明は日除けシート内に設けられた、該日除けシートを支持する線状支持手段と、該線状支持手段の端部から延在する前記日除けシートの辺の延長上の隅角部位である可動頂点と、方向転換手段を介して弾性線材がその一部に介装され、前記可動頂点に端部が固定された弾性支持線材とを備え、前記日除けシートに風圧が作用した際に、前記日除けシートの可動頂点が前記弾性支持線材の伸長により前記風圧と釣り合うように移動するようにしたことを特徴とする。
【０００８】
前記線状支持手段は、前記日除けシートの対角線方向に沿って前記日除けシートに取り付けられ、両端が前記建物固定部に定着された支持ステーであることが好ましい。
【０００９】
前記可動頂点は、前記日除けシートに設けられた前記線状支持手段が沿う対角線と交わる対角線端部の隅角部位であることが好ましい。
【００１０】
前記弾性線材は、前記弾性支持線材内の中間位置に直列接続されたショックコードであることが好ましい。
【００１１】
日除けシート内に設けられた、該日除けシートを支持する線状支持手段と、該線状支持手段の端部から延在する前記日除けシートの２辺の隅角部位である可動頂点と、建物固定部に設けられた方向転換手段を介して線材に所定の張力を付与する重錘が端部に吊持され、前記可動頂点に端部が固定された支持線材とを備え、前記日除けシートに風圧が作用した際に、前記日除けシートの可動頂点が前記支持線材下端の重錘の昇降により前記風圧と釣り合うように移動するようにしたことを特徴とする。
【００１２】
前記線状支持手段位置に芯材を配置し、該芯材に前記日除けシートを巻き付ける巻取装置を備えることが好ましい。
【発明の効果】
【００１３】
本発明によれば、日除けシートが風を受けた際に、弾性線材で支持された日除けシートの端部が風圧と釣り合って移動し、日除けシートに当たる風をしなやかに逃がすことができるため、構造上シンプルで、また視覚的にも涼しげな形状変化を与えることができるという効果を奏する。
【図面の簡単な説明】
【００１４】
【図１】本発明の日除け装置の第１実施形態の基本構成を示した概略斜視図。
【図２】図１に示した日除け装置の風を受けた際の形状変化例を示した概略斜視図。
【図３】日除け装置の第２実施形態の基本構成を示した概略斜視図。
【図４】図３に示した日除け装置の風を受けた際の形状変化例を示した概略斜視図。
【図５】日除け装置の第３実施形態の基本構成を示した概略斜視図。
【図６】日除け装置の第４実施形態の基本構成を示した概略斜視図。
【図７】図６に示した日除け装置の巻き取り状態例を示した概略斜視図。
【図８】日除け装置の第５実施形態の基本構成を示した概略斜視図。
【図９】日除け装置の第１実施形態の変形例を示した概略斜視図。
【図１０】日除け装置の第６実施形態の基本構成を示した概略斜視図。
【図１１】図１０に示した日除け装置の形状変化例を示した概略斜視図。
【発明を実施するための形態】
【００１５】
以下、本発明の日除け装置の実施するための形態について、各添付図面を参照して説明する。
【００１６】
［第１実施形態］
本発明の日除け装置１０の第１実施形態の基本構造について、図１を参照して説明する。図１に示した日除け装置１０は、建物のベランダの床面１２の一部と、ベランダと建物とを出入りする引き戸タイプのガラス戸１３の前面とを所定の傾角で覆うように設置されている。本実施形態の日除け装置１０は、日除けシート２０と、日除けシート２０の対角線方向に沿って日除けシート２０を固定支持する線状支持手段としての支持ステー３０と、支持ステー３０の対角線とクロスする他の対角線方向に沿って設けられ、シート端部を可動状態に支持する弾性支持線材としての伸縮ステー４０とを備え、支持ステー３０と伸縮ステー４０のそれぞれの端部は、建物固定部としての壁面１１とベランダ床面１２のアンカー部１４，１５に定着されている。
【００１７】
日除けシート２０は、図１に示したように、ベランダ床面１２とベランダ出入り口のガラス戸１３上部の壁面１１と間に張設される程度の面積を有する長方形状シートで、暗色のポリエステル繊維を粗く織ったメッシュ状織布からなる。このため、日除けシート２０は、メッシュ部分によってある程度の透気性、光透過性を有する一方、ある程度以上の強さの風が吹いたときには織布面が風圧を受ける。この日除けシート２０の材質しては、遮光性を高めた表面コーティングされた織布を用いてもよい。この場合には、透気性がないが、日除けとしての効果、防水性は十分発揮される。
【００１８】
日除けシート２０の取付状態について、図１を参照して説明する。本実施形態では、図示したようにシート２０の一方の対角線に沿って所定間隔で孔２１、２１…が形成され、支持ステー３０が対角線方向に配列された孔２１、２１…を交互に通り、両端の孔２１ａ、２１ｂ位置で支持ステー３０に定着保持されている。さらに支持ステー３０の上端は壁面１１に設けられた壁面アンカー部１４に定着され、他方のステー下端はベランダ床面に設けられた床面アンカー部１５に定着されている。
【００１９】
支持ステー３０としては、本実施形態では、伸縮率の小さい耐候性を有する合成繊維撚りロープが用いられている。また、支持ステー３０には所定のテンションを付与するために公知のターンバックル等の長さ（張力）調整部材（図示せず）を設けてもよい。強度、低伸縮を実現するために、炭素繊維ケーブル、拠り鋼線ワイヤーケーブルなど各種の線材適宜用いることもできる。また、シート２０に形成された孔２１の縁部を補強する鳩目等を取り付けることが好ましい。
【００２０】
壁面アンカー部１４および床面アンカー部１５は後施工アンカーによって建物壁面およびベランダ床面１２に取り付けられている。本実施形態では、ベースプレート面１４ａ、１５ａに逆Ｕ字形の定着金物１４ｂ、１５ｂが一体になったアンカー部材が用いられている。なお、日除けシート２０を利用しない季節にこれらアンカー部材を簡単に撤去できるように、ホールインアンカーとアイボルトとからなるアンカー部としてもよい。
【００２１】
本実施形態の伸縮ステー４０を取り付けるために、ステーの方向転換用の滑車（ブロック）２４，２５が壁面アンカー部１４および床面アンカー部１５の定着金物１４ｂ、１５ｂに保持されている。（図１）。伸縮ステー４０は、全長の両端側の約１／３が合成繊維撚りロープ４１（以下、単にロープと記す。）で、中央約１／３が弾性線材としてのショックコード４３（被覆ゴム紐）からなり、各端部が結束具４２で連結され、全体が１本の弾性伸長可能なステー（以下、伸縮ステー４０と記す。）となっている。伸縮ステー４０は、図１に示したように、支持ステー３０とクロスする対角線に沿って日除けシート２０の下面側（裏面側）に配置され、両側のロープ４１の端部が建物固定部にアンカー１４、１５を介して保持されたブロック２４、２５位置で方向変換され、日除けシート２０の定着孔に結束されている。図１に示したような、風がほとんど無い、通常の日除けシート２０張設時では、伸縮ステー４０は弛みがなく、直線形状が保持される程度にショックコード４３にテンションが付与された状態で取り付けられている。なお、伸縮ステー４０を方向変換させるためには、ブロックを用いずに、ロープ４１をガイドする周溝が形成された半円形状に加工されたフッ素樹脂部材を用いてもよい。なお、弾性線材としてショックコードを示したが、金属製、樹脂製コイルバネを用いてもよいことは言うまでもない。コイルバネを用いる場合には、コイルバネを伸縮編物等で被覆してコイルバネが縮退した際に日除けシート等を挟み込まないようにすることが好ましい。
【００２２】
以下、上述した日除け装置１０の動作について、図２各図を参照して説明する。図２（ａ）は弱い風が日除けシート２０に当たった状態を示している。同図に示したように、日除けシート２０がわずかに煽られる程度の風が吹くと日除けシート２０に風圧が作用した分と釣り合うように、伸縮ステー４０がわずかに伸長して日除けシート２０の隅角部と側端部の一部がわずかに持ち上がるようにめくれる。これにより日除けシート２０が変形した形状に倣って風が流れ、日除けシート２０に作用した風圧が変形後の日除けシート２０と釣り合い状態になる。図１に示した場合、日除けシート２０全体は日除けシート２０の対角線に沿って設けられた支持ステー３０で支持されているため、風を受けていない支持ステー３０の下側の日除けシート２０は伸縮ステー４０の伸長を受けてわずかに張力が作用する程度で、シート下端の隅角端部はほとんど動かない。
【００２３】
図２（ｂ）は強風が日除けシート２０に作用し、日除けシート２０が大きく煽られた状態を示している。この状態では、伸縮ステー４０のショックコードが弾性範囲で十分に伸長して支持ステー３０より上側の日除けシート２０が大きく煽られることになる。しかし、この状態では日除けシート２０に作用する風圧と伸縮ステー４０のショックコードの伸び量（言い換えると張力）とが釣り合い状態にあるため、日除けシート２０はばたつくことがない。また、風力、風向が変化するのに応じて日除けシート２０の形状も変化するが、日除けシート２０の端部に伸縮ステー４０が定着されているため、日除けシート２０の形状変化に追従して伸縮ステー４０のショックコード４３の伸び量がなめらかに変化する。日除けシート２０は対角線方向に沿って支持ステー３０に支持されているため、日除けシート２０の風による形状変化は、あたかも一辺が支持されたヨットの三角帆（たとえばジブセイル）のような滑らかな動きをする。したがって、風に抵抗しないで風を逃がすことで日除けシート２０への負荷を軽減するという機能的効果に加え、室内から日除けシート２０の風による形状変化を見た場合、心地よい形状変化を味わうことができるという視覚的効果もある。また、風が止んだ状態では、ショックコード４３のテンションにより伸縮ステー４０は初期長さに戻るため、再び図１の張設状態になることができる。
【００２４】
［第２実施形態］
図３，図４は、第２実施形態として、伸縮ステーに代えて重錘（重り）によって日除けシート２０の可動端の動きを調整するようにした日除け装置１０の構成を示している。この重錘を支持するステー５０（以下、重錘ステー５０と記す。）は図３に示したように、可動側の下端部の床面アンカー部１５にシングルブロック５５が、上端部の壁面アンカー部１４に並列ダブルブロック５４がそれぞれ取り付けられ、日除けシート２０の可動側の上端と下端とにそれぞれ独立した重錘ステー５１、５２が連結されている。日除けシート２０下端側に定着された重錘ステー５１は床面１２に位置するブロック５５を介して方向転換され、日除けシート２０の下面側を上方に導かれ、壁面アンカー部１４のダブルブロック５４の一方で下方に方向変換され、その下端に第１重錘Ｗ１が吊持されている。また、日除けシート２０上端に定着された重錘ステー５２は壁面アンカー部１４のダブルブロック５４で下方に方向変換され、その下端に第２重錘Ｗ２が吊持されている。このように構成された日除け装置１０の作用について、図４を参照して簡単に説明する。日除けシート２０がわずかに煽られる程度の風が吹くと日除けシート２０に風圧が作用した分と釣り合うように、重錘ステー５２がわずかにブロック５４を介して重錘Ｗ２を引き上げるように繰り出される。これにより日除けシート２０の隅角部と側端部の一部がわずかに持ち上がるようにめくれる。これにより日除けシート２０が変形した形状に倣って風が流れ、日除けシート２０に作用した風圧が変形後の日除けシート２０と釣り合い状態になる。このとき、日除けシート２０の支持ステー３０より下側に風が当たっていないので、重錘Ｗ１を吊持している重錘ステー５１には変化はない。
【００２５】
このように、上述した２本の重錘ステー５１、５２を設けた構成からなる日除け装置１０では、日除けシート２０は支持ステー３０を挟んだ上側と下側とでそれぞれ独立して風に対応するが、比較的風の影響の少ないシート下端部は重錘ステーＷ１を設けずに床面アンカー部１５に直接定着して上側の日除けシート２０を対象に重錘ステーＷ２を設け、日除けシート２０の支持ステー３０より上側で風に対応するようにしてもよい。
【００２６】
［第３実施形態］
図５は、２本の伸縮ステー４０を日除けシート２０の縦辺に沿って配置した第３実施形態を示している。この実施形態では、２本の伸縮ステー４０を設けるとともに、同一三角形形状の日除けシート２０Ａ、２０Ｂを、対角線に沿って設ける支持ステー３０で接合するようにした。このため、組み立て部材の小型化を図ることができ、また設置作業も容易になる。
【００２７】
［第４実施形態］
図６，図７は日除けシート２０にシート巻取装置を設けた実施形態を示している。この日除け装置１０では、日除けシート２０の支持ステー３０が配置される対角線に沿って、内部に支持ステー３０が挿通配置される細長筒状体からなる中空芯材６１が設けられている。この中空芯材６１は例えば日除けシート２０に筒袋状部２０ａを縫製し、その内部に塩化ビニルパイプ等を挿通させて構成することができる。そして中空芯材６１の下端には、シート巻取装置６０が取り付けられている。このシート巻取装置６０はクルーザーヨットなどに装備されている公知のジブセイルファーラーと同等の構成からなり、上端側にトップスイベル６３が、下端側には巻取りドラム６２（ドラム巻回されたロープは図示せず）が取り付けられている。たとえば、台風等、日除けシート２０の伸縮ステー４０による風を逃がす機能以上の風が吹くことが予想される場合には、まず伸縮ステー４０のショックコード４３の一端の接続を切り離し、シート巻取装置６０の巻取りドラム６２のロープ（図示せず）を巻き解く。これにより、図７に示したように、日除けシート２０を中空芯材６１回りに巻回することができる。この巻回状態から図６の状態に復帰させるためには、ショックコード４３に所定のテンションを加えた状態で伸縮ステー４０のロープ４１を結束する。ショックコード４３の短縮しようとする付勢力により、中空芯材６１に巻き付けられた日除けシート２０は巻き解かれ、図６の初期状態に復帰できる。そのとき、巻取りドラム６２にロープが巻き戻されるので、図示しないリーダ等を通じてロープが巻取りドラム６２に確実に巻き取られるようにすることが好ましい。
【００２８】
以上の実施形態において、日除けシート２０の下端は床面１２に設けた床面アンカー部１５に支持されるようになっているが、建物の構造上、下端のアンカー部をベランダ手摺等に設置することができることは言うまでもない。その場合には、手摺の形状寸法に合致したアンカー金物を手摺に取り付けるようにすることが好ましい。また、可能であれば、建物壁面１１でなく、上階のバルコニーの底面に上端のアンカー部を設けてもよい。以上の実施形態では建物に用いられる日除け装置について説明したが、建物に設備される日除けシート以外にも、たとえばキャンプ場等のテントサイトにおいて、支柱に支持されたテントの庇やタープ等にも、この構成を用いることができる。
【００２９】
［第５実施形態］
図８各図は、日除け装置の日除けシートをパラソル７０とした実施形態を示している。この傘に相当する日除けシートの一部を、支柱Ｐ内に収容された伸縮ステー４０で支持するようにした。本実施形態ではパラソル７０の傘部分は扁平な二等辺三角形パネル７１、７２を６枚あわせた、６角錐形状をなす。そのうちの３枚の可動パネル７２、７２…が図８（ｃ）に示したように、外周辺７２ａのみが支持ステー（図示せず）で支持され、頂点が支柱Ｐ内に収容された伸縮ステー４０で支持された各可動パネル７２を構成している。これにより、図８（ａ），（ｃ）に示したように、パラソル７０を下方から吹き上げるような風に対して、可動パネル７２の頂点側からパネルがめくれるようにして開口部７３が生じ、そこから風の一部を逃がすことができる。このため、パラソル７０が立っている場所で地面Ｇ側からパラソル７０を持ち上げるような突風等が吹いた場合にも、パラソル７０が倒されたり、飛ばされたりすることを防止できる。
【００３０】
[フレキシブルソーラーフィルムタイプ日除け装置]
図９は、図１に示した第１実施形態の日除けシートとしてフレキシブルソーラーフィルムを使用した実施例を示している。このフレキシブルソーラーフィルムは、柔軟性を有するフィルム状のアルファモスシリコンタイプのソーラー発電モジュール８０ｍからなり、同様に柔軟性のある合成樹脂製ベースシート８０ｂに配列して装着され、シート全体が耐候性、防水性を有するように表面加工した日除けシート８０を構成している。この日除けシート８０は図１に示した日除け装置と同様の構成からなるため、風に対するしなやかな変形が可能であり、日除けとして機能する一方、ソーラーフィルムが所定の発電機能を発揮する。発電された電力は、公知のソーラーパネル、ソーラーフィルムと同様に図示しないリチウムイオン蓄電池等に蓄電することで、各種の予備電源として使用することができる。
【００３１】
［第６実施形態］
図１０は、既製品としての細長ロール状の２枚のフレキシブルソーラーフィルムを備えたシートを並列配置して日除けシートとした日除け装置の第６実施形態を示した図である。この場合には、四角形状のシートの対角線に沿う支持ステーに相当する部材を設けないので、そのためにブロック８４，８５は並べた一方のシート８０Ａの隅角部位としての上下端の可動頂点位置のシート面に取り付けられている。他方のシート８０Ｂには弾性線材としての伸縮ステーを構成するショックコード８３とロープ８１とが直列に配線され、ロープ８１の一端が方向変換手段として機能する他方のシート側のブロック８４，８５まで導かれ、方向変換され、他方のシート８０Ｂの可動頂点側に定着されている。このように構成された日除け装置１０では、図１１に示したように、風の強さに応じて可動頂点位置の伸縮ステーのショックコード８３が伸長し、２枚のフレキシブルソーラーフィルムからなる日除けシート８０Ａ、８０Ｂの対向した辺の間が開口となり、矢印で示したようにシート８０Ａ、８０Ｂに当たる風をこの開口から逃がすことができる。
【００３２】
なお、本発明は上述した実施例に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００３３】
１０  日除け装置
１２  ベランダ床面
１１  建物壁面
１４  壁面アンカー部
１５  床面アンカー部
２０  日除けシート
２４，２５  ブロック（滑車）
３０  支持ステー
４０  伸縮ステー
４１  ロープ
４３  ショックコード
５０（５１、５２）  重錘ステー
６０  シート巻取装置
７０  パラソル
８０  日除けシート（フレキシブルソーラーフィルム装着）
【図１】
2015004224.tif 000003
【図２】
2015004224.tif 000004
【図３】
2015004224.tif 000005
【図４】
2015004224.tif 000006
【図５】
2015004224.tif 000007
【図６】
2015004224.tif 000008
【図７】
2015004224.tif 000009
【図８】
2015004224.tif 000010
【図９】
2015004224.tif 000011
【図１０】
2015004224.tif 000012
【図１１】
2015004224.tif 000013